(57)【特許請求の範囲】
【請求項１】
頂板部と内面側に容器首部との係合部を有するスカート部とを備えたキャップ本体と、前記スカート部にヒンジ連結部で連結された上蓋と、前記スカート部に上下方向に設けられたスカート切り裂き用スコアとを備えた分別廃棄可能なヒンジキャップにおいて、
前記ヒンジキャップには上蓋閉栓状態において前記スカート切り裂き用スコア乃至その近傍のスカート部の広がりを抑制する機構が設けられ、
前記ヒンジ連結部の周方向外方に且つこれに近接して前記スカート切り裂き用スコアが設けられ、
前記広がりを抑制する機構が上蓋の下端面及びキャップ本体の対応面に設けられた凹凸の相対的回転阻止機構である、
ことを特徴とするヒンジキャップ。
【請求項２】
前記スカート切り裂き用スコアの一方の側に且つこれに近接して前記凹凸の相対的回転阻止機構が設けられ且つ前記スカート切り裂き用スコアの他方の側に前記ヒンジ連結部が設けられている、ことを特徴とする請求項１に記載のヒンジキャップ。
【請求項３】
前記スカート切り裂き用スコアの他方の側であって前記ヒンジ連結部との間の位置に、前記他方の側に近接して前記凹凸の相対的回転阻止機構が設けられている、ことを特徴とする請求項２に記載のヒンジキャップ。
【請求項４】
頂板部と内面側に容器首部との係合部を有するスカート部とを備えたキャップ本体と、前記スカート部にヒンジ連結部で連結された上蓋と、前記スカート部に上下方向に設けられたスカート切り裂き用スコアとを備えた分別廃棄可能なヒンジキャップにおいて、
前記ヒンジキャップには上蓋閉栓状態において前記スカート切り裂き用スコア乃至その近傍のスカート部の広がりを抑制する機構が設けられ、
前記ヒンジ連結部の周方向外方に且つこれに近接して前記スカート切り裂き用スコアが設けられ、
前記広がりを抑制する機構が上蓋の内周面及びキャップ本体の上蓋係止用の突起部外周面にそれぞれ設けられた非円形係合部或いは径方向に凹凸のある係合部から成る相対的回転阻止機構である、
ことを特徴とするヒンジキャップ。
【請求項５】
前記スカート部が前記ヒンジ連結部及び前記スカート切り裂き用スコアを有する外側壁と、容器首部との係合部を有する内側壁とから成り且つ前記外側壁は少なくとも前記ヒンジ連結部側で外方へ展開乃至取り外し可能に設けられており、前記外側壁と前記内側壁とが少なくとも前記ヒンジ連結部側において周状スリットにより分割されていると共に、前記外側壁と前記内側壁とは前記周状スリットの部分において破断可能な複数個のブリッジを介して連結されている、ことを特徴とする請求項１乃至４の何れかに記載のヒンジキャップ。
【請求項６】
前記スカート部が前記ヒンジ連結部及び前記スカート切り裂き用スコアを有する外側壁と、容器首部との係合部を有する内側壁とから成り且つ前記外側壁は少なくとも前記ヒンジ連結部側で外方へ展開乃至取り外し可能に設けられており、前記外側壁と前記内側壁とが周状溝により分割されていると共に、前記外側壁と前記内側壁とは前記周状溝の下側で連結されている、ことを特徴とする請求項１乃至４の何れかに記載のヒンジキャップ。
【発明の詳細な説明】
【０００１】
【発明の属する技術分野】
本発明は分別廃棄可能なヒンジキャップに関するもので、より詳細には容器首部への打栓に際してスカート部取り外し用のスコアの偶発的な破断が防止されるようにしたヒンジキャップに関する。
【０００２】
【従来の技術】
最近になって、ゴミ廃棄処理や省資源の見地からゴミの分別廃棄が要求されるようになり、特に容器口部に装着されているプラスチックキャップについても分別廃棄が求められている。
【０００３】
調味料などの注出型プラスチックキャップは、容器口部に嵌合固定されるキャップ本体と、キャップ本体に開閉可能にヒンジ連結された上蓋とから成っている。この種のキャップでは、キャップ本体が容器口部に嵌合固定されているため、使用済みのキャップを容器口部から除去するには、一般に栓抜きの様な工具が必要なため、その除去作業が極めて面倒であり、分別廃棄性が未だ不十分のものであった。
【０００４】
このため、この種のキャップの分別廃棄性の改善について、多くの提案がなされている。
例えば、実開平７−１１５５９号公報や実開平５−３４１５１号公報には、上述したヒンジキャップについて、キャップ本体のスカート部に、上蓋とのヒンジ連結部の近傍から下方に延びているスコアを形成させて成るヒンジキャップが開示されている。
これらのヒンジキャップは、上蓋を手で持って下方に押し下げることによりスカート部のスコアを引き裂き、これによってスカート部が破壊されるので、格別の工具を用いることなく容易にキャップを容器口部から除去できるというものである。
【０００５】
【発明が解決しようとする課題】
スカート部でのスコアの引き裂きを容易にし、容器首部からのキャップ本体の取り外しを容易にするためには、前記スコアを薄肉にすることが必要であるが、このようにスコアを薄肉にすると、キャップの打栓に際してスコアが偶発的に破断するという問題を生じる。
【０００６】
このスコアの偶発的な破断を防止するために、本出願人の提案にかかる特開平８−１５６９６０号公報には、スコアとして縦方向の弱化線と横方向の弱化線の組み合わせから成るものを用いることが示されているが、この手段はスコア全体の破断を防止するには有効であるとしても、縦方向の弱化線が破断する傾向が解消されたとはいい難い。
【０００７】
従って、本発明の目的は、キャップ本体と上蓋とから成るヒンジキャップにおいて、キャップ本体のスカート部に設けたスカート部取り外し用のスコアの打栓時における偶発的な破断が有効に防止され、しかも使用後におけるスコアの破断による取り外しが容易であって、分別廃棄性にも優れているヒンジキャップを提供するにある。
【０００８】
【課題を解決するための手段】
本発明の一局面によれば、頂板部と内面側に容器首部との係合部を有するスカート部とを備えたキャップ本体と、前記スカート部にヒンジ連結部で連結された上蓋と、前記スカート部に上下方向に設けられたスカート切り裂き用スコアとを備えた分別廃棄可能なヒンジキャップにおいて、前記ヒンジキャップには上蓋閉栓状態において前記スカート切り裂き用スコア乃至その近傍のスカート部の広がりを抑制する機構が設けられ、前記ヒンジ連結部の周方向外方に且つこれに近接して前記スカート切り裂き用スコアが設けられ、前記広がりを抑制する機構が上蓋の下端面及びキャップ本体の対応面に設けられた凹凸の相対的回転阻止機構である、ことを特徴とするヒンジキャップが提供される。
前記スカート切り裂き用スコアの一方の側に且つこれに近接して前記凹凸の相対的回転阻止機構が設けられ且つ前記スカート切り裂き用スコアの他方の側に前記ヒンジ連結部が設けられている、ことが好ましい。
前記スカート切り裂き用スコアの他方の側であって前記ヒンジ連結部との間の位置に、前記他方の側に近接して前記凹凸の相対的回転阻止機構が設けられている、ことが好ましい。
本発明の他の局面によれば、頂板部と内面側に容器首部との係合部を有するスカート部とを備えたキャップ本体と、前記スカート部にヒンジ連結部で連結された上蓋と、前記スカート部に上下方向に設けられたスカート切り裂き用スコアとを備えた分別廃棄可能なヒンジキャップにおいて、前記ヒンジキャップには上蓋閉栓状態において前記スカート切り裂き用スコア乃至その近傍のスカート部の広がりを抑制する機構が設けられ、前記ヒンジ連結部の周方向外方に且つこれに近接して前記スカート切り裂き用スコアが設けられ、前記広がりを抑制する機構が上蓋の内周面及びキャップ本体の上蓋係止用の突起部外周面にそれぞれ設けられた非円形係合部或いは径方向に凹凸のある係合部から成る相対的回転阻止機構である、ことを特徴とするヒンジキャップが提供される。
前記スカート部が前記ヒンジ連結部及び前記スカート切り裂き用スコアを有する外側壁と、容器首部との係合部を有する内側壁とから成り且つ前記外側壁は少なくとも前記ヒンジ連結部側で外方へ展開乃至取り外し可能に設けられており、前記外側壁と前記内側壁とが少なくとも前記ヒンジ連結部側において周状スリットにより分割されていると共に、前記外側壁と前記内側壁とは前記周状スリットの部分において破断可能な複数個のブリッジを介して連結されている、ことが好ましい。
前記スカート部が前記ヒンジ連結部及び前記スカート切り裂き用スコアを有する外側壁と、容器首部との係合部を有する内側壁とから成り且つ前記外側壁は少なくとも前記ヒンジ連結部側で外方へ展開乃至取り外し可能に設けられており、前記外側壁と前記内側壁とが周状溝により分割されていると共に、前記外側壁と前記内側壁とは前記周状溝の下側で連結されている、ことが好ましい。
【００１０】
【発明の実施形態】
本発明は、頂板部と内面側に容器首部との係合部を有するスカート部とを備えたキャップ本体と、前記スカート部にヒンジ連結された上蓋と、前記スカート部に上下方向に設けられたスカート部切り裂き用のスコアとを備えた分別廃棄可能なヒンジキャップに関するが、前記キャップ本体に上蓋閉栓状態において前記スコア乃至その近傍のスカート部の周方向広がりを阻止する機構を設けたことが特徴である。
これにより、キャップ本体のスカート部に設けたスカート部取り外し用スコアの打栓時における偶発的な破断を有効に防止することができ、しかも使用後におけるスコアの破断による取り外しを容易に行って、キャップと容器との分別廃棄を良好な作業性を持って行うことができる。
【００１１】
既に指摘したとおり、本発明が対象とするヒンジキャップでは、スカート切り裂き用スコアの肉厚が薄ければ薄いほど、使用後におけるキャップ本体の容器口部からの切り裂きによる取り外しが容易であり、一方打栓時におけるスカート切り裂き用スコアの偶発的破断はやはりこのスコアの肉厚が薄ければ薄いほど、より高い頻度で発生するという問題がある。特に、この傾向は、キャップのスカート部が外側壁と内側壁に分割されているキャップにおいて顕著に認められる。
この種のキャップではスカート部内面に容器首部に対する係合用の突起部を備えており、打栓に際してこの係合用突起部が容器首部のビード（突起部）を乗り越える必要があるが、この乗り越え時にスカート部が周方向に広がり、この広がりによりスカート切り裂き用スコアに発生する張力が、スコアの偶発的破断の原因と考えられていた。
しかしながら、本発明者らの研究によると、前記突起部の内径が３０ｍｍのキャップを容器首部の外径が３２ｍｍの容器に打栓する際、スカート部に発生する周方向への広がり即ち伸びの量は、スカート部全体から見るとわずか６％程度のものであるが、この広がり即ち伸びがスカート切り裂き用スコアの部分に集中的乃至重点的に生じると、十分に破断の原因となりうることに想到した。このようにスコアの破断が生じているキャップでは、スコア乃至その近傍のスカート部では周方向の位置ずれ、即ち回転が生じていることも分かった。
また、容器口部へのヒンジキャップの打栓は、キャップ本体に上蓋が閉栓された状態で行われる一方で、スカート切り裂き用スコアの破断によるキャップ本体の容器口部からの取り外しは、上蓋が開栓された状態で行われる（上蓋を指で把持して引っ張ることによりスコアの切り裂きが行われる）ことにも着目した。
【００１２】
かくして、本発明によれば、前記キャップ本体に上蓋閉栓状態において前記スコア乃至その近傍のスカート部の周方向広がりを阻止する機構を設けることにより、キャップ打栓時にスカート部に発生する周方向の広がり乃至伸びを、スカート部全体にわたって一様に分散させて、スカート切り裂き用スコアの部分に集中するのを防止し、更にキャップ本体上部の広がりを閉栓された上蓋で規制することにより、打栓時における前記スコアの偶発的な破断を有効に解消することができる。
【００１３】
即ち、本発明において、キャップ本体に設けるスカート部の周方向広がり抑制機構は、上蓋閉栓状態においてその機能が発現されるものであるので、上蓋が閉栓状態である打栓時にはスカート部の周方向広がりによるスコア破断を防止し、しかも内容物使用後のキャップの取り外し時には、上蓋が開いた状態にあるので、手によるスコア破断の妨げに一切ならないという利点が奏されるのである。
【００１４】
本発明のヒンジキャップにおいては、一般にヒンジの外方に且つこれに近接してスカート切り裂き用スコアが設けられていることが、内容物使用後のスコア破断による取り外しを容易に行うために好ましい。
即ち、スカート切り裂き用スコアが上記の位置関係で設けられていると、上蓋を把持し、これを外方或いは更に下方に引っ張ることにより、この力がヒンジを介してスコアに剪断力として有効に伝達されるので、スコアの剪断によるキャップの取り外しが有効に行われる。
また、ヒンジはキャップ本体のスカート部と上蓋との連結部であるので、スカート切り裂き用スコアの一方の側がこのヒンジによって周方向に広がるのが拘束され、前述した周方向広がり抑制機構の作用と相俟って、打栓時におけるスカート切り裂き用スコアの偶発的な破断を防止することが一層確実なものとなる。
【００１５】
また、本発明のキャップでは、スカート切り裂き用スコアは上方が薄肉で下方が厚肉となった肉厚分布を有するものであることが、使用後のスコア破断を容易に行うと共に、スコアの偶発的な破断を防止する上で好ましい。
スカート切り裂き用スコアの破断は、上蓋とのヒンジが連結されたスカート上端部から開始されるが、このスコアの破断が開始される上部を薄肉化しておくことにより、最初のスコアの引き裂き開始が比較的小さな力で開始でき、一旦引き裂きが進行すると下部が厚肉であっても引き裂きが容易に行われる。
また、本発明のキャップでは、周方向広がり抑制機構を設けているので、打栓時におけるスカート部の周方向広がりの程度は、上部では抑制されるが、下部では上部より大きくなる傾向がある。このため、打栓時におけるスカート切り裂き用スコアの偶発的破断はスコアの下部において発生する傾向がある。本発明では、スコアの肉厚分布を下部において厚肉としたので、打栓時におけるスカート切り裂き用スコアの偶発的な破断は有効に防止されるものである。
更に、前述したスコアの肉厚分布では、仮に打栓時にスカート切り裂き用スコアの上部に部分的な破断が生じたとしても、スコアの肉厚が下部で厚肉となっているので、スコアの破断進行がこの厚肉部で阻止され、スコアの完全切断が有効に防止されることになる。
【００１６】
本発明の分別廃棄可能なヒンジキャップでは、キャップ本体のスカート部の内面側に容器首部との係合部を備えているが、使用後のキャップ本体の取り外し時には、容器首部とスカート部内面側の係合部との係合を弱める必要がある。
このため、本発明のキャップでは、スカート部をヒンジ連結部及びスカート切り裂き用スコアを有する外側壁と、容器首部との係合部を有する内側壁とから構成し、しかも外側壁を少なくともヒンジ側で外方へ展開乃至取り外し可能に設けるのがよい。
上記構成にすると、内容物使用後における廃棄時において、外側壁のスカート切り裂き用スコアを切り裂いた後、少なくともヒンジ側の外側壁を外方へ展開或いは取り外すことにより、内側壁に対する外側壁の拘束を解除し、内側壁の外方への広がりを許容し、容器口部と内側壁係合部との解除を緩めることにより、容器口部からのキャップ本体の取り外しが容易に行い得る。
【００１７】
具体的な構成として、外側壁と内側壁とを周状スリットにより分割すると共に、外側壁と内側壁とを少なくともヒンジ側において破断可能な複数個のブリッジを介して連結することができる。
この構成によると、スカート切り裂き用スコアを切断した後、上蓋を把持して外方に引っ張ることにより、ブリッジを破断して外側壁を切り離し、これにより外側壁の拘束を解除し、内側壁の外方への広がりを可能にすることにより、キャップ本体の取り外しを可能にすることができる。
内側壁の外方への広がりを容易にするために、内側壁には周方向に間隔をおいて下端から係合部を越えて軸方向に延びる切り欠き部を設けるのが望ましい。
【００１８】
具体的な他の構成では、外側壁と内側壁とを周状溝により分割すると共に、外側壁と内側壁とを周状溝の下側で連結させることができる。この構成では、スカート切り裂き用スコアを切断後、下側の連結部を介して内側壁を外方に展開させることが可能であり、前の例と同様に、外側壁の拘束を解除し、内側壁の外方への広がりを可能にすることにより、キャップ本体の取り外しを可能にすることができる。
この場合、外側壁にはヒンジ連結部の両側にスカート切り裂き用スコアを形成し、このスコアと対向する内側壁にも係合部の上方まで延びるスコアが形成されているのが望ましい。
この構成にすると、上蓋を外方に引っ張ることにより、ヒンジ連結部の両側のスカート切り裂き用スコアが先ず破断され、これにより外側壁の対応部分が引き出され、次いで内側壁に設けたスカート切り裂き用スコアが引き裂かれて、内側壁の対応部分が引き出され、内側壁の係合部と容器との係合が外れ、更に外側壁が環状から弧状になることにより、外側壁による内側壁の保持力が低減し、引っ張りを更に続けることにより、キャップ本体全体の取り外しがスムーズに進行する。
【００１９】
本発明における周方向広がり阻止機構としては、キャップ本体に設けられ、上蓋閉栓状態において前述したスカート部の周方向広がりを阻止するものであれば、何れの機構のものも使用可能であるが、前記キャップ本体の周方向広がり阻止機構が上蓋閉栓時におけるキャップ本体と上蓋との係合部に設けられた回転阻止機構であることが好ましい。
この構成では、上蓋閉栓時にキャップ本体と上蓋とが回転不能に係合するので、打栓時にもスカート部の回転乃至広がりが抑制され、スカート切り裂き用スコアの破断が、上記の簡単な機構で抑制されるという利点がある。
【００２０】
回転阻止機構の好適な一例として、上蓋の下端面及びキャップ本体の対応面に設けられた、例えばピンと孔のような凹凸の回転阻止機構が挙げられる。
この凹凸の回転阻止機構はスカート切り裂き用スコアの一方の側或いは両側に且つこれに近接して設けられていることが、スコア部近傍での周方向広がりを防止する上で好ましく、特にスカート切り裂き用スコアの一方の側に且つこれに近接して凹凸の回転阻止機構が設けられ且つ該スコアの他方の側にヒンジ連結部が設けられていると、回転阻止機構とヒンジ連結部とがスコア両側のスカート部の位置を固定して、スコアに周方向の引っ張り応力が作用するのを防止する利点がある。
【００２１】
回転阻止機構の好適な他の例として、上蓋の内周面及びキャップ本体の上蓋との係合用外周面にそれぞれ設けられた非円形係合部或いは径方向に凹凸のある係合部を有するものが挙げれる。
上蓋を閉じた状態で安定に保持するためには、上蓋の内周面とキャップ本体の外周面とを係合（係止）させることが必要であるが、上記係合部（係止部）を非円形乃至径方向に凹凸のある形状とすることにより、格別の部材を形成させることなしに、また簡単な構成で、上蓋の閉栓によりキャップ本体のスカート部の上部の周方向の広がりや両者の相対的回転を阻止することができる。
上記非円形係合部が面取り部であり、面取り部が上蓋の閉栓方向に平行に位置するように対向して設けられていることが、上蓋の開栓及び閉栓の作業性を低下させずに、閉栓時における回転阻止を有効に行うために好ましい。
【００２２】
回転阻止機構の更に他の好適な例として、スカート部の中心からヒンジの反対側に偏心して設けられた内容物の注ぎ出し筒と、前記注ぎ出し筒と密封係合する上蓋のインナープラグとの係止部とから成るものが挙げられる。
スカート部の中心からヒンジの反対側に偏心して設けられた内容物の注ぎ出し筒を設けると、内容物の注ぎ出しが小さな傾きで容易に行われ、また上蓋のインナープラグによる注ぎ出し筒の閉塞、更には上蓋の閉栓も容易に行われるという利点が達成されるが、この注ぎ出し筒とインナープラグとの係合は、スカートの中心から変心した位置関係で行われるため、この係合状態ではスカートの回転を阻止するという作用が同様に行われる。
このように、本発明では、何れの例に見られる場合にも、上蓋の閉栓時にはスカートの回転が阻止され、スカート切り裂き用スコアの閉栓時における破断が有効に防止される。
【００２３】
【実施例】
本発明を、添付図面に示す実施例に基づき、以下に詳細に説明する。添付図面において、図１は本発明のヒンジキャップの一例（実施例１）の上面図であり、図２は図１のヒンジキャップの正面図であり、図３は図１のヒンジキャップの側面図であり、図４は図１のヒンジキャップの背面図であり、図５は図１のヒンジキャップの底面図であり、図６は図１のヒンジキャップの上蓋を開いた状態で示す上面図であり、図７は図１のヒンジキャップの上蓋を開いた状態で示す下面図であり、図８は図１のヒンジキャップの上蓋を開いた状態で示す側断面図であり、図９は図１のヒンジキャップを容器口部に嵌合した状態で示す側断面図であり、図１０は図１のヒンジキャップにおけるスカート切り裂き用スコアを示す拡大断面図であり、図１１は図１のヒンジキャップの変形（実施例２）の要部を示す拡大上面図であり、図１２は本発明のヒンジキャップの他の例（実施例３）を上蓋を開いた状態で示す上面図であり、図１３は図１２のヒンジキャップの上蓋を開いた状態で示す下面図であり、図１４は図１２のヒンジキャップの上蓋を開いた状態で示す一部断面側面図であり、図１５は本発明のヒンジキャップの更に他の例（実施例４）を上蓋を開いた状態で示す上面図であり、図１６は図１５のヒンジキャップの上蓋を開いた状態で示す下面図であり、図１７は図１６のヒンジキャップの上蓋を開いた状態で示す一部断面側面図であり、図１８は本発明のヒンジキャップの別の例（実施例５）を上蓋を開いた状態で示す上面図であり、図１９は図１８のヒンジキャップの閉じた状態での係合部を拡大して示す断面図であり、図２０は図１９のＢ−Ｂ断面図であり、図２１は本発明のヒンジキャップの更に別の例（実施例６）を上蓋を開いた状態で示す上面図であり、図２２は図２１のヒンジキャップを上蓋を開いた状態で示す側断面図であり、図２３は図２１のヒンジキャップを上蓋を閉じた状態で示す側面図である。
【００２４】
［実施例１］本発明のヒンジキャップは、大まかにいって、キャップ本体１と、これにヒンジ連結部３を介して連結された上蓋４とから成っている。キャップ本体１は頂板部１０と頂板部の周囲から垂下しているスカート部２とを備えており、スカート部２の内面には容器口部５（図９参照）との係合部２１が形成されている。この係合部２１は、図に示す具体例では径内向きの突起部から成っている。スカート部２の上端と上蓋４の下面とはヒンジ連結部３を介して連結されており、ヒンジ連結部３を支点として上蓋４は旋回可能であり、図６乃至８に示す、開いた位置と、図１乃至３及び図９に示す、閉じた位置との間で開閉自在である。
【００２５】
このキャップ本体の頂板部１０には、この種のヒンジキャップに設けられるそれ自体公知の各種機構が設けられる。
即ち、キャップ本体１の頂板部１０には、スコア１１によって開口予定部１２が形成されており、この開口予定部１２には、開封タブ１３が直立した支脚１４を介して設けられている。即ち、開封タブ１３を引っ張ることによってスコア１１を破断し、開口予定部１２に開口を形成し、この開口を通して容器内容液の注ぎ出しを行う。この場合、開封タブ１３は、手で引っ張り易くするためにリング状に形成され、その内面に滑り止め用のローレット状突起を設けておくのがよい。
また頂板部１０の上面には、開口予定部１２を取り囲む様にして、注ぎ出し筒（周状突起）１５が設けられている。即ち、内容液の注ぎ出しに際して、この注ぎ出し筒１５が案内となって、液の注ぎ出しがスムーズに行われる。
【００２６】
図９に最もよく示されている様に、スカート部２の内周には、容器首部５の外周側ビード５１を乗り越えて凹部５２と係合する係合部２１が形成されており、容器首部５の頂面５３を頂板部１０の内面に密接させ、キャップの確実な保持と密封保持とを行わせるようになっている。また、この具体例においては、頂板部１０の内面には、容器首部５の内周側と係合するインナーリング１６が形成されていて、容器首部５の内周面５４でも密封が行われ、密封が一層確実なものとなるようになっている。
【００２７】
一方、上蓋４も頂板部４１とスカート部４２とから成っており、スカート部の下部でヒンジ連結部３の反対側には上蓋開栓用のタブ４３が設けられている。また、上蓋４のスカート部４２の内方には、キャップ本体の注ぎ出し筒１５と密封係合するインナープラグ４４が形成されている。
【００２８】
キャップ本体の注ぎ出し筒１５は、上蓋４とのヒンジ連結部３と反対側の半周部分（１５ａ）は背が高く、且つヒンジ連結部３側の半周部分（１５ｂ）は背が低くなっているのがよい。このようにすることにより、上蓋４を閉じた時、上蓋４に設けられているインナープラグ４４がスムーズに注ぎ出し筒１５内に入り込み、上蓋４の旋回が妨げられないからである。また、内容液の注ぎ出しはヒンジ連結部３とは反対側から行われるため、注ぎ出し筒１５の注ぎ出し用案内としての機能が損なわれることもないからである。
【００２９】
キャップ本体の頂板部１０の周縁部に近接して上方には、上蓋係止用の突起部１７が周状に形成されている。この係止用突起部１７に対応して、上蓋４のスカート部４２の内面には係止用凹部４５が設けられており、これらが係合して上蓋の閉栓状態が安定して保持されるようになっている。
また、上蓋４の開栓用タブ４３の把持を容易にするために、キャップ本体のスカート部２には指の挿入が可能な凹部２２が形成されている。
【００３０】
ヒンジ連結部３は上蓋４のスカート部下面４６及びキャップ本体１の頂板部１０の上面と面一となった広幅の中央ヒンジ３１と、その両側に設けられ且つ中央ヒンジよりも小間隔をおいて上蓋スカート部４２の上方及びキャップ本体のスカート部２下方との間に設けられた狭い幅の側方ヒンジ３２とから成っている。
この側方ヒンジ３２は伸縮可能であり、上蓋４が開いた図８の状態で、上蓋４が揺れることなく、安定に保たれるようになっている。
【００３１】
この具体例では、キャップ本体のスカート部２は、ヒンジ連結部３及びスカート切り裂き用スコア６を有する周状の外側壁２３と、容器首部との係合部２１を有する周状の内側壁２４とから構成される。
即ち、外側壁２３と内側壁２４とを周状スリット２５により同心円状に分割すると共に、外側壁２３と内側壁２４とを上部において少なくともヒンジ側において破断可能な複数個のブリッジ２６を介して連結している。
【００３２】
スカート切り裂き用スコア６は、ヒンジ連結部３の外方に且つこれに近接して設けられており、このスコア６は外側壁２３の内面側から溝を設けることにより、器壁を薄肉化することにより形成されている。スカート切り裂き用スコア６が上記の位置関係で設けられていると、上蓋４を把持し、これを外方或いは更に下方に引っ張ることにより、この力がヒンジ連結部３を介してスコア６に剪断力として有効に伝達されるので、スコア６の剪断によるキャップの取り外しが有効に行われる。また、ヒンジ連結部３はキャップ本体のスカート部（外側壁２３）と上蓋４との連結部であるので、スカート切り裂き用スコア６の一方の側がこのヒンジ連結部３によって周方向に広がるのが拘束され、後述する周方向広がり阻止機構７の作用と相俟って、打栓時におけるスカート切り裂き用スコア６の偶発的な破断を防止することが一層確実なものとなる。
【００３３】
スカート切り裂き用スコア６の詳細な構造を示す図１０において、スカート切り裂き用スコア６は上部６２が薄肉で下部６３が厚肉となった肉厚分布を有しており、容器使用後のスコア６の破断を容易に行うと共に、打栓時におけるスコア６の偶発的な破断を防止するようになっている。
図１０の（Ｂ）に示す具体例では、スコア６の肉厚は下方に向けて段階的に肉厚になるように形成されており、一方図１０の（Ｃ）に示す具体例では、スコア６の肉厚は下方に向けてテーパー状に肉厚になるように形成されている。
【００３４】
一方、スカート部の内側壁２４には、内側壁２４の外方への広がりを容易にするために、周方向に間隔をおいて下端から係合部２１を越えて軸方向に延びる切り欠き部２７が設けられている。
スカート切り裂き用スコア６を切断した後、上蓋４を把持して外方に引っ張ることにより、ブリッジ２６を破断して外側壁２３を切り離し、これにより外側壁２３の拘束を解除し、内側壁２４の外方への広がりを可能にすることにより、容器首部５と内側壁の係合部２１との係合を解除し、キャップ本体の取り外しを容易に行うことができる。
【００３５】
本発明では、上蓋４の閉栓時におけるキャップ本体１と上蓋４との係合部乃至当接部に両者の相対的回転を阻止する回転阻止機構７を設ける。
この具体例では、この回転阻止機構７は、上蓋４の下端面４６に設けられた孔７１とキャップ本体頂板部１０の上部対応面に設けられたピン７２とから成っている。
図３に示すように、上蓋閉栓時にはキャップ本体のピン７２が上蓋の孔７１に挿入され、上蓋とキャップ本体のスカート部とが回転不能に係合するので、打栓時にもスカート部の回転乃至広がりが抑制され、スカート切り裂き用スコア６の破断が、上記の簡単な機構で抑制されるのである。
【００３６】
この具体例では、ピン７２及び孔７１から成る回転阻止機構７は、スカート切り裂き用スコア６の一方の側に且つこれに近接して設けられ且つ該スコア６の他方の側にヒンジ連結部３が設けられており、回転阻止機構７とヒンジ連結部３とがスコア両側のスカート部の位置を固定して、スコアに周方向の引っ張り応力が作用するのを防止することができる。
尚、キャップ本体には上蓋係止用の突起部１７が周状に形成され、これに対応して、上蓋４のスカート部４２の内面には係止用凹部４５が設けられていることは既に指摘したが、これらは上蓋の閉栓状態が安定に保持するものではあるが、上蓋とキャップ本体との水平面での回転を阻止する作用はないが、上述したピン７２と孔７１との組み合わせでは、水平面での回転を有効に阻止することができるのである。
【００３７】
本実施例のキャップでは、上蓋４がキャップ本体１に閉栓された状態で容器首部５に対する打栓が行われる。この打栓に際して、スカート部内側壁２４に設けられた径内向きの係合部２１が容器首部５のビード５１を乗り越えて凹部５２と係合し、容器首部へのキャップの固定保持と密封とが行われる。内側壁の係合部２１が容器首部５のビード５１を乗り越える際、内側壁２４が周方向に広がり、これに伴って外側壁２３も周方向に広がるが、キャップ本体１と上蓋４との係合部乃至当接部に両者の相対的回転を阻止する回転阻止機構７を特定の位置関係で設けたので、スカート切り裂き用スコア６の部分での周方向への広がりが抑制され、打栓時等にこのスコア６の偶発的な破断を有効に防止することができる。
【００３８】
キャップ付き容器の購入者が、内容物を使用する際には、開封タブ１３を引っ張ることによってスコア１１を破断し、開口予定部１２に開口を形成し、この開口及び注ぎ出し筒１５を通して容器内容液の注ぎ出しを行う。
所定量の内容物を注ぎ出した後には、上蓋４を閉じることにより、注ぎ出し筒１５とインナープラグ４４との間でリシールが行われ、内容物を外気から遮断して保存することが可能である。
【００３９】
内容物を使い切り、容器とキャップを分別廃棄する際には、上蓋４を開き、上蓋４を指で把持して、これを外方に引っ張る。この引張力がヒンジ３を介してスコア６に剪断力として有効に伝達されるので、スコア６が剪断され、更に上蓋４を周方向に引っ張ることにより、ブリッジ２６を破断して外側壁２３を切り離し、これにより外側壁２３の拘束を解除し、内側壁２４の外方への広がりを可能にすることにより、容器首部５と内側壁の係合部２１との係合を解除し、キャップ本体の容器首部からの取り外しを容易に行うことができる。
【００４０】
本発明において、キャップに設けるピン７２及び孔７１は、上蓋によるスカート部の回転阻止乃至広がり阻止を行える程度のものであるから、かなり小さいものでよく、一般にピン７２の径は０．５乃至２．０ｍｍ、高さは０．５乃至１．０ｍｍ程度の範囲にあるのがよい。また、孔７１のサイズはピンの嵌合が容易に行えるように、ピンのサイズよりも若干大きめなものがよい。
【００４１】
一方、スカート切り裂き用スコア６の残留厚みは、キャップのサイズや樹脂の材質によっても変化するが、一般的にいって平均で０．４乃至０．８ｍｍ程度が適当である。
【００４２】
本実施例のキャップでは、図６に示されるとおり、周状スリット２５はスカート部の全周には設けず、外側壁２３と内側壁２４との連結部２８を残すように設けることが好ましい。この連結部２８を残すことにより、ブリッジ２６を切断した後上蓋４を更に持ち上げることによって、キャップ本体全体を容器首部から取り外すことが可能となる。図６においては、スカート切り裂き用スコア６の時計方向側に連結部２８が形成されており、一方スコア６の反時計方向側にヒンジ側を通るように周状スリット２５が形成されており、スコア６の破断後、ヒンジ側からブリッジ２６の切断が進行するように、方向付けがなされているので、キャップ取り外しの失敗を生じることがない。また、図６に示すように、連結部２８の上にピン７２を設けることができるので、ピン７２の状態が安定しており、上蓋閉栓時にその下端面の孔７１への挿入が確実に行えるという利点もある。キャップ本体の取り外しの容易さの点では、周状スリット２５の長さはスカート部全周の６０乃至９０％程度が適当である。
【００４３】
［実施例２］
前述した実施例１では、回転阻止機構７として、１対のピンと孔との組合せが使用されているが、このピンと孔との組合せは必ずしも１対に限定されず、またその設置位置も前述した例に限定されない。
図１１に示す例では、キャップの基本的構成は実施例１と同様であるが、キャップ本体１のスカート切り裂き用スコア６のヒンジ側に第１のピン７２ａが設けられ、ヒンジの反対側に径方向に並んだ第２のピン７２ｂ、第３のピン７２ｃが設けられており、これに対応して上蓋４の下端面４６の対応位置には、第１の孔７１ａ、第２の孔７１ｂ、第３の孔７１ｃがそれぞれ設けられている。
これらのピン及び孔は上蓋の閉栓時に嵌合し、キャップの打栓時におけるスコア６の周方向の広がりを効果的に防止する。
【００４４】
［実施例３］
図１２、１３及び１４に示す実施例では、キャップの基本的構成は実施例１と同様であるが、上蓋４によるキャップ本体１の回転阻止機構７が前記実施例のものとは相違している。
キャップ本体の頂板部１０の周縁部に近接して上方には、上蓋係止用の突起部１７が周状に形成され、この係止用突起部１７に対応して、上蓋４のスカート部４２の内面には係止用凹部４５が設けられており、これらが係合して上蓋の閉栓状態が安定して保持されるようになっている点では実施例１と同様である。
【００４５】
しかしながら、キャップ本体１の係止用突起部１７及び上蓋４の係止用凹部４５には、非円形係合部から成る回転阻止機構７が設けられる。
即ち、キャップ本体１の係止用突起部１７には、面取り部７３ａ、７３ｂが上蓋４の閉栓方向に平行に位置するように対向して設けられており、上蓋４の係止用凹部４５にも面取り部７４ａ、７４ｂが上蓋４の閉栓方向に平行に位置するように対向して設けられている。
上蓋４の閉栓状態では、キャップ本体の面取り部７３ａと上蓋の面取り部７４ａ及びキャップ本体の面取り部７３ｂと上蓋の面取り部７４ｂがそれぞれ係合して、打栓時におけるキャップ本体１、従ってスカート部２の回転を阻止し、スカート切り裂き用スコア６の破断を防止することができる。
【００４６】
［実施例４］
図１５、１６及び１７に示す実施例では、キャップの基本的構成は実施例１と同様であるが、上蓋４によるキャップ本体１の回転阻止機構７が前記実施例のものとは相違している。
頂板部１０の上面には、開口予定部１２を取り囲む様にして、注ぎ出し筒（周状突起）１５が設けられていること、及び上蓋４のスカート部４２の内方には、キャップ本体の注ぎ出し筒１５と密封係合するインナープラグ４４が形成されていることは、実施例１の場合と同様である。
【００４７】
しかしながら、本実施例のキャップでは、内容物の注ぎ出し筒１５がスカート部２の中心からヒンジの反対側に偏心して設けられ、これに対応してインナープラグ４４も上蓋４の中心からヒンジの反対側に偏心して設けられており、これらの偏心した注ぎ出し筒１５及びインナープラグ４４は、キャップ本体の相対的回転阻止機構として作用するものである。
即ち、上蓋４が閉栓した状態では、注ぎ出し筒１５及びインナープラグ４４が密封係合しており、しかもこれらの中心はキャップ本体１及び上蓋４の中心から偏心した状態にあるため、キャップ本体１の回転阻止作用が発現されるのである。
この実施例では、注ぎ出し筒１５及びインナープラグ４４を偏心した状態で設けるのみでよく、格別の部材を設ける必要がないので、キャップの成形が容易で格別のコストの増大をもたらさないという利点も奏されるものである。
注ぎ出し筒の偏心の程度（キャップ本体のスカート部中心と注ぎ出し筒の中心との距離）は、その径によっても相違するが、一般に０．５ｍｍ以上の範囲にあることが回転抑制の点及び注ぎ出し筒の配置の点で好ましい。
【００４８】
本実施例のヒンジキャップでは、注ぎ出し筒１５及びインナープラグ４４をキャップ本体１の中心からヒンジの反対側に偏心した状態で設けたことにより、スカート部２の回転抑制によるスカート切り裂き用スコア６の打栓時における破断防止という作用に加えて、衝撃等による開口用スコア１１の破断防止という作用が達成される。
上蓋４の閉栓時には、上蓋のインナープラグ４４が注ぎ出し筒１５に係合して密封が行われるが、この状態で上蓋４の頂板部４１に落下等による衝撃が加わると、インナープラグ４４が開封用タブの支脚１４に突き当たり、開口用スコア１１を損傷（破断）するおそれがある。
【００４９】
本実施例のヒンジキャップでは、注ぎ出し筒１５及びインナープラグ４４をキャップ本体１の中心からヒンジの反対側に偏心した状態で設けたため、インナープラグ４４と上蓋のヒンジ側係合用凹部４５との中間に、インナープラグとほぼ同じか或いはこれより若干高い高さの弧状の係止用突起４７を設けることが可能となり、前述した衝撃が発生したとき、この係止用突起４７の先端部を、ヒンジ側の注ぎ出し筒１５と上蓋用係止部１７との間の頂板部１０と当接させることにより、インナープラグ４４が開封用タブの支脚に触れるのを防止することができる。
【００５０】
［実施例５］
図１８、１９及び２０は、図１２乃至１４の変形を示すものである。この実施例では、キャップの基本的構成は実施例１と同様であるが、上蓋４によるキャップ本体１の回転阻止機構７が前記実施例のものとは相違している。
この実施例においても、キャップ本体の頂板部１０の周縁部に近接して上方には、上蓋係止用の突起部１７が周状に形成され、この係止用突起部１７に対応して、上蓋４のスカート部４２の内面には係止用凹部４５が設けられており、これらが係合して上蓋の閉栓状態が安定して保持されるようになっている点では実施例１と同様である。
【００５１】
しかしながら、キャップ本体１の突起部１７及び上蓋４の係止用凹部４５には、径方向に凹凸のある形状の係合部から成る回転阻止機構７が設けられる。即ち、キャップ本体１の突起部１７には、周方向に間隔をおいて径方向への凸部７５が多数配置されており、これに対応して、上蓋４の係止用凹部４５の上方にも、周方向に間隔をおいて径方向への凹部７６が多数配置されている。上蓋４の閉栓状態では、キャップ本体の凸部７５が上蓋の凹部７６に嵌合して、打栓時におけるキャップ本体１、従ってスカート部２の回転を阻止し、スカート切り裂き用スコア６の破断を防止することができる。
【００５２】
キャップ本体の凸部７５及び上蓋の凹部７６は、図１９に示すとおり、上蓋閉栓時の嵌合及び上蓋開栓時の離脱が容易になる形状に成形されている。キャップ本体１の凸部７５は、径内方に下向きに緩やかに傾斜した上方係止部８１、径内方に下向きに上方係止部よりも大きい傾斜角度で傾斜し且つ上方係止部よりも距離の短い下方係止部８２及び上方係止部と下方係止部との間に径外方に下向きに大きい傾斜角度で傾斜した切り落とし部８３を備えている。一方、上蓋４の凹部７６は、凸部７５の上方係止部８１と同じ傾斜角度の上方係止部、及び凸部７５の下方係止部８２と同じ傾斜角度の下方係止部とを備えている。
【００５３】
上蓋４の閉栓に際しては、上蓋４の凹部７６の下方係止部が、キャップ本体１の凸部７５の切り落とし部８３の上に載り、この切り落とし部８３上を下方にスライドし、キャップ本体１の凸部７５の下方係止部８２を乗り越えて、下方係止部８２の下側に食い込むことにより、上蓋４の係止が行われる。一方、上蓋４の開栓に際しては、タブ４３を持ち上げることにより、キャップ本体１の凸部７５の下方係止部８２と上蓋４の凹部７６の下方係止部との係合が解除され、上蓋の上方への旋回による開栓が可能となる。
【００５４】
［実施例６］図２１、２２及び２３に示すキャップは、実施例１及び実施例４のキャップの変形を示すものである。この実施例のキャップでは、頂板部１０の上部の構造、注ぎ出し筒（周状突起）１５及びインナープラグ４４が偏心した状態で形成されていること、及びインナープラグとヒンジとの間に弧状の係止用突起４７が形成されている点においては、実施例４のもの同様であるが、キャップ本体１のスカート部２の構造が実施例４のものとは相違している。
【００５５】
即ち、スカート部２がヒンジ連結部３及びスカート切り裂き用スコア６を有する外側壁２３と、容器首部５との係合部２１を有する内側壁２４とから成るが、この実施例では、外側壁２３と内側壁２４とは頂板部の上から下向きに形成された周状溝８０により同心円状に分離されており、しかも外側壁２３と内側壁２４とは前記周状溝８０の下方の連結部８１により連結されており、実施例１乃至５にみられるブリッジ２６は存在しない。
【００５６】
また、この実施例６のキャップでは、図２１から明らかなとおり、外側壁２３には、ヒンジ３の両側に且つこれに近接して、一対のスカート切り裂き用スコア６ａ、６ｂが上下方向に形成されている。
更に、外側壁のスカート切り裂き用スコア６ａ、６ｂに対応して、内側壁２４にもスカート切り裂き用スコアが形成されている。外側壁２３のスカート切り裂き用スコア６ａ（６ｂ）と内側壁２４のスカート切り裂き用スコアとは、前述した連結部８１で薄肉部を介して連絡している。
【００５７】
この実施例のキャップでは、実施例１に示したものと同様に、キャップ本体１と上蓋４との係合部乃至当接部に両者の相対的回転を阻止する回転阻止機構７を設ける。
即ち、上蓋４の下端面４６にピン７１ａ、７１ｂが設けられ、キャップ本体頂板部１０の上部対応面に孔７２ａ、７２ｂが設けられる。
図２３に示すように、上蓋閉栓時には上蓋のピン７１ａ（７１ｂ）がキャップ本体の孔７２ａ（７２ｂ）に挿入され、上蓋とキャップ本体のスカート部とが回転不能に係合するので、打栓時にもスカート部の回転乃至広がりが抑制され、スカート切り裂き用スコア６の破断が、上記の簡単な機構で抑制されるのである。
【００５８】
この具体例では、既に述べたとおり、ヒンジ３の両側に且つこれに近接してスカート切り裂き用スコア６ａ，６ｂが設けられるが、このスコア６ａ、６ｂに対してヒンジ３の反対側に、ピン及びホールの対から成る回転阻止機構７１ａ（７１ｂ）、７２ａ（７２ｂ）を設けている。この構成では、回転阻止機構とヒンジ連結部とがスコア両側のスカート部の位置を固定して、スコアに周方向の引っ張り応力が作用するのを防止する利点がある。
【００５９】
実施例６のキャップでは、内容物の取り出し及びリシールは実施例１乃至６の場合と同様に行えるが、キャップ本体の容器首部からの取り外しは次のように行える。
即ち、内容物を使い切り、容器とキャップを分別廃棄する際には、上蓋４を開き、上蓋４を指で把持して、これを外方に引っ張る。この引張力がヒンジ３を介してヒンジの両側のスコア６ａ、６ｂに剪断力として有効に伝達されるので、スコア６ａ、６ｂが剪断され、更に上蓋４を引っ張ることにより、ヒンジ３と共に破断された外側壁のヒンジ対応部分が前に引き出される。
更に、引張を続けることにより、外側壁のスコア６ａ、６ｂの剪断が内側壁のスコアに伝達され、これらのスコアも剪断されて、内側壁のヒンジ対応部分も外側に引き出され、これにより内側壁２４の外方への広がりを可能にすることにより、容器首部５と内側壁の係合部２１との係合を解除し、キャップ本体の容器首部からの取り外しを容易に行うことができる。
実施例６では、上に説明したとおり、二重の相対的回転阻止機構が設けられているが、その一方のみの回転阻止機構を用いてもよいことは当業者に自明であろう。
【００６０】
本発明において、キャップの成形に用いる樹脂としては、各種プラスチック、例えば、低−、中−又は高−密度ポリエチレン、線状低密度ポリエチレン、ポリプロピレン、熱可塑性ポリエステル、ポリアミド、スチレン系樹脂、ＡＢＳ樹脂等が挙げられる。
【００６１】
本発明のヒンジキャップの内、実施例１乃至５に示すものは、上記樹脂を用い、通常、射出成形、圧縮成形等によりキャップ本体１と上蓋４とをヒンジ３を介して一体化した状態で成形し、一般的には、この成形工程の後に、外側壁２３と外内側壁２４との間にカッター等で切り込みを入れて、ブリッジ２６を除く部分にスリット２５を形成することにより製造される。
また、実施例６に示すキャップは、それ自体公知の射出成形法や圧縮成形法で製造することができる。
【００６２】
【発明の効果】
本発明によれば、頂板部と内面側に容器首部との係合部を有するスカート部とを備えたキャップ本体と、前記スカート部にヒンジ連結部で連結された上蓋と、前記スカート部に上下方向に設けられたスカート切り裂き用スコアとを備えた分別廃棄可能なヒンジキャップにおいて、前記ヒンジキャップには上蓋閉栓状態において前記スカート切り裂き用スコア乃至その近傍のスカート部の広がりを抑制する機構を設けたことにより、キャップ本体のスカート部に設けたスカート部取り外し用のスコアの打栓時における偶発的な破断が有効に防止され、しかも使用後におけるスコアの破断による取り外しが容易であって、分別廃棄性にも優れているという利点がある。
【図面の簡単な説明】
【図１】本発明のヒンジキャップの一例（実施例１）の上面図である。
【図２】図１のヒンジキャップの正面図である。
【図３】図１のヒンジキャップの側面図である。
【図４】図１のヒンジキャップの背面図である。
【図５】図１のヒンジキャップの底面図である。
【図６】図１のヒンジキャップの上蓋を開いた状態で示す上面図である。
【図７】図１のヒンジキャップの上蓋を開いた状態で示す下面図である。
【図８】図１のヒンジキャップの上蓋を開いた状態で示す側断面図である。
【図９】図１のヒンジキャップを容器口部に嵌合した状態で示す側断面図である。
【図１０】図１のヒンジキャップにおけるスカート切り裂き用スコアを示す拡大断面図である。
【図１１】図１のヒンジキャップの変形（実施例２）の要部を示す拡大上面図である。
【図１２】本発明のヒンジキャップの他の例（実施例３）を上蓋を開いた状態で示す上面図である。
【図１３】図１２のヒンジキャップの上蓋を開いた状態で示す下面図である。
【図１４】図１２のヒンジキャップの上蓋を開いた状態で示す一部断面側面図である。
【図１５】本発明のヒンジキャップの更に他の例（実施例４）を上蓋を開いた状態で示す上面図である。
【図１６】図１５のヒンジキャップの上蓋を開いた状態で示す下面図である。
【図１７】図１６のヒンジキャップの上蓋を開いた状態で示す一部断面側面図である。
【図１８】本発明のヒンジキャップの別の例（実施例５）を上蓋を開いた状態で示す上面図である。
【図１９】図１８のヒンジキャップの閉じた状態での係合部を拡大して示す断面図である。
【図２０】図１６のヒンジキャップの図１９のＢ−Ｂ断面図である。
【図２１】本発明のヒンジキャップの更に別の例（実施例６）を上蓋を開いた状態で示す上面図であり、
【図２２】図２１のヒンジキャップを上蓋を開いた状態で示す側断面図である。
【図２３】図２１のヒンジキャップを上蓋を閉じた状態で示す側面図である。
【図１】
0004489236.tif 000002
【図２】
0004489236.tif 000003
【図３】
0004489236.tif 000004
【図４】
0004489236.tif 000005
【図５】
0004489236.tif 000006
【図６】
0004489236.tif 000007
【図７】
0004489236.tif 000008
【図８】
0004489236.tif 000009
【図９】
0004489236.tif 000010
【図１０】
0004489236.tif 000011
【図１１】
0004489236.tif 000012
【図１２】
0004489236.tif 000013
【図１３】
0004489236.tif 000014
【図１４】
0004489236.tif 000015
【図１５】
0004489236.tif 000016
【図１６】
0004489236.tif 000017
【図１７】
0004489236.tif 000018
【図１８】
0004489236.tif 000019
【図１９】
0004489236.tif 000020
【図２０】
0004489236.tif 000021
【図２１】
0004489236.tif 000022
【図２２】
0004489236.tif 000023
【図２３】
0004489236.tif 000024